(57)【要約】【課題】防水用パッキン付きのカバーの内面にアンテナを実装した防水機能を有する通信機器において、実装効率を上げて機器の小型化を可能にする。【解決手段】開口部６を有する筐体４と、筐体４の内部方向に突出する防水リブ９と、防水リブ９に設けられ外蓋を開口部６に嵌合することによって開口部６の内部に接する環型の密封部材１３とが設けられた外蓋７と、外蓋７の内面に設けられた板状アンテナ８と、筐体４の内部に収容された基板１７とからなる防水型通信機器のアンテナ構造であって、板状アンテナ８の一部であるアンテナ接点部８ｂが、第一防水構造３１によって防水性を保ちながら防水リブ９を貫通して防水リブ９の外部に延在するとともに、アンテナ接点部８ｂは、第二防水構造３２によって防水性を保ちながら筐体４の一部を貫通する導電体１９によって基板１７と電気的に接続される防水型通信機器１のアンテナ実装構造。【選択図】図２
2013021625.tif 000002
【特許請求の範囲】
【請求項１】
開口部を有する筐体と、
前記開口部を覆う外蓋であって、前記開口部の周囲に沿うとともに前記筐体の内部方向に突出する防水リブと、該防水リブに設けられ前記外蓋を開口部に嵌合することによって前記開口部の内部に接する環型の密封部材とが設けられた外蓋と、
前記外蓋の内面に設けられた板状アンテナと、
前記筐体の内部に収容された基板とからなる防水型通信機器のアンテナ構造であって、
前記板状アンテナの一部であるアンテナ接点部が、第一防水構造によって防水性を保ちながら前記防水リブを貫通して前記防水リブの外部に延在するとともに、
前記アンテナ接点部は、第二防水構造によって防水性を保ちながら前記筐体の一部を貫通する導電体によって前記基板と電気的に接続されることを特徴とする防水型通信機器のアンテナ実装構造。
【請求項２】
前記第一防水構造は、環型の密封部材であることを特徴とする請求項１に記載の防水型通信機器のアンテナ実装構造。
【請求項３】
前記第一防水構造は、防水型接着剤であることを特徴とする請求項１に記載の防水型通信機器のアンテナ実装構造。
【請求項４】
前記第二防水構造は環型の密封部材であり、
前記導電体は前記外蓋を開口部に嵌合することによって一端が前記アンテナと電気的に接続されるとともに他端が前記基板と電気的に接続されるボルトであり、
前記ボルトは、前記筐体に前記環型の密封部材を介して挿通されていることを特徴とする請求項１から請求項３のいずれか１項に記載の防水型通信機器のアンテナ実装構造。
【請求項５】
前記アンテナと前記ボルトとは、前記ボルトの一端に設けられたバネ状の接点を介して電気的に接続されることを特徴とする請求項４に記載の防水型通信機器のアンテナ実装構造。
【発明の詳細な説明】
【技術分野】
【０００１】
本発明は、防水型通信機器のアンテナ実装構造に関し、特に、外蓋の内面に設けられた板状アンテナを用いた防水型通信機器のアンテナ実装構造に関する。
【背景技術】
【０００２】
近年、例えば携帯電話等の通信機器は小型化、薄型化されると共に様々なアプリケーション機能を備えており、日常生活に不可欠なものとなっている。このため、雨天時における屋外での使用等、実生活の様々な場面における使用に対して需要者の要求に対応すべく、防水機能を備えた通信機器が開発されている。このような防水型通信機器の防水構造としては、例えば、特許文献１にあるように防水用パッキンを有するスライド式のカバーによって防水を行なうもの等、様々な構造が知られている。
【０００３】
また、例えば電話通話用として使用される防水型通信機器のアンテナの形態として、前述した防水用パッキンが設けられたカバーの内面に板状のアンテナを設ける形態が知られている。図５及び図６に従来の防水型通信機器のアンテナ実装構造の構造を示す。図５及び図６に示すように、防水型通信機器１０１は装置本体１０３の裏面に防水カバー１０７が装着されており、板状アンテナ１０８は防水カバー１０７の内面に貼り付けられている。
【０００４】
板状アンテナ１０８は、矩形リング状に形成されたアンテナ本体部１０８ａと、アンテナ本体部１０８ａから突出するアンテナ接点部１０８ｂとからなり、このアンテナ接点部１０８ｂが基板１１７と電気的に接続されることによって、例えば電話通話用のアンテナとして機能する。
【０００５】
基板１１７には、基板１１７上の所定の回路と接続された接点バネ１２０が設けられており、防水カバー１０７をケース１０４に取り付けることによって、板状アンテナ１０８のアンテナ接点部１０８ｂと基板１１７上の所定の回路とが電気的に接続されるように構成されている。
【０００６】
防水構造を構築するために、防水カバー１０７にはＯリング１１３が取り付けられた防水リブ１０９が形成されているとともに、装置本体１０３を構成するケース１０４には防水リブ１０９と協働して防水性を発揮するための凹部１１１が形成されている。
防水カバー１０７の内面に貼り付けられた板状アンテナ１０８を始め、バッテリーなどからなる内蔵物１０５、基板１１７等は、全て防水リブ１０９によって画定される、防水リブ１０９の内側の防水エリアＳ３の内部に設けられており、これにより機器の防水性が保たれている。
【先行技術文献】
【特許文献】
【０００７】
【特許文献１】特開２００７−１５７７７９号公報
【発明の概要】
【発明が解決しようとする課題】
【０００８】
ところで、Ｏリング１１３は、防水性能を高めるためにある程度の張力を保たせる必要があり、Ｏリング１１３の軌道Ｃ２は極力曲がり角を少なくする必要がある。このため、軌道Ｃ２はアンテナ接点部１０８ｂを内包するような大きな軌道としなければならず、結果として図５に示すように防水エリアＳ３内に活用されていない空間ＤＳ（デッドスペース）が生じ、防水型通信機器１０１の大型化に繋がっていた。
【０００９】
この発明は、このような事情を考慮してなされたもので、その目的は、筐体の開口部に装着される外蓋の内面に板状のアンテナが設けられた形態の防水型通信機器のアンテナ実装構造において、実装効率を上げて防水型通信機器の小型化を可能にする防水型通信機器のアンテナ実装構造を提供することにある。
【課題を解決するための手段】
【００１０】
上記課題を解決するために、本発明は以下の手段を採用している。
即ち、本発明に係る防水型通信機器のアンテナ実装構造は、開口部を有する筐体と、前記開口部を覆う外蓋であって、前記開口部の周囲に沿うとともに前記筐体の内部方向に突出する防水リブと、該防水リブに設けられ前記外蓋を開口部に嵌合することによって前記開口部の内部に接する環型の密封部材とが設けられた外蓋と、前記外蓋の内面に設けられた板状アンテナと、前記筐体の内部に収容された基板とからなる防水型通信機器のアンテナ構造であって、前記板状アンテナの一部であるアンテナ接点部が、第一防水構造によって防水性を保ちながら前記防水リブを貫通して前記防水リブの外部に延在するとともに、前記板状アンテナの一部は、第二防水構造によって防水性を保ちながら前記筐体の一部を貫通する導電体によって前記基板と電気的に接続されることを特徴とする。
【発明の効果】
【００１１】
本発明の構成は、アンテナ接点部が防水性を保ちながら防水リブを貫通して外部に延出、配置されているとともに、防水性を保ちながら筐体を貫通する導電体によって基板と接続される構成である。この構成により、防水リブの軌道がアンテナ接点部を内包する必要がなくなるため、アンテナ実装構造の実装効率を上げて防水型通信機器の小型化を可能にする。
【図面の簡単な説明】
【００１２】
【図１】本発明の第一の実施形態に係る防水型通信機器の斜視図である。
【図２】図１のＡ−Ａ断面図であり、本発明の第一の実施形態に係る防水型通信機器のアンテナ接点部の断面図である。
【図３】図１のＡ−Ａ断面図であり、本発明の第二の実施形態に係る防水型通信機器のアンテナ接点部の断面図である。
【図４】図１のＡ−Ａ断面図であり、本発明の第三の実施形態に係る防水型通信機器のアンテナ接点部の断面図である。
【図５】従来の防水型通信機器の斜視図である。
【図６】図５のＢ−Ｂ断面図である。
【発明を実施するための形態】
【００１３】
（第一の実施形態）
以下、本発明の第一の実施形態について図面を参照して詳細に説明する。図１は、本実施形態に係る防水型通信機器１の斜視図であり、表示画面が設けられた表面とは反対側の裏面２を示すものである。図２は図１のＡ−Ａ断面図であり、本実施形態の防水型通信機器１のアンテナ接点部の断面図である。
防水型通信機器１は、防水構造を有する携帯電話機であり、装置本体３の内部には後述する基板１７の他、バッテリーなどの内蔵物５が配置されている。この内蔵物５は後述する防水構造によって防水性が保たれている。
【００１４】
図１及び図２に示すように、防水型通信機器１は、装置本体３と防水カバー７とからなり、装置本体３は、ケース４とケース４に内蔵された内蔵物５とを有している。ケース４は、プラスチックや金属等よりなる内部に空洞を有する箱部材である。ケース４の裏面２には略矩形形状の開口部６が設けられており、防水カバー７は開口部６を覆うように取り付けられている。防水カバー７は、装置本体３に対してスライドさせることによって、装置本体３に装着されるが、装着方法はこれに限らずネジを用いて固定する方法でもよい。
【００１５】
本実施形態の防水型通信機器１においては、例えば電話通話用として機能する平板状の板状アンテナ８が防水カバー７に実装されている。板状アンテナ６は、防水カバー７の内面７ａに接着テープ１４を介して貼り付けられている。板状アンテナ８は、矩形リング状に形成されたアンテナ本体部８ａと、アンテナ本体部８ａから突出するアンテナ接点部８ｂとからなり、このアンテナ接点部８ｂが基板１７上の所定の回路と電気的に接続されることによって、例えば電話通話用のアンテナとして機能する。
【００１６】
防水カバー５には、開口部６のやや内側を沿うとともに、ケース４の内部方向に突出する防水リブ９が設けられている。即ち、防水リブ９は、裏面２に直交する方向から見て開口部６と同様に略矩形形状をなしている。
一方、ケース４は、外壁部１０と、外壁部１０からケース４の内側に突出するケースリブ１１とを有する。ケースリブ１１は、防水リブ９と協働して防水構造として機能するものであり、ケースリブ１１の内端部１１ａは、防水リブ９の外周面９ａに沿うように形成されている。防水リブ９の外周面９ａには、Ｏリング溝１２が形成されており、Ｏリング溝１２には、Ｏリング１３が嵌め込まれている。即ち、Ｏリング１３の軌道Ｃ１は、ケースリブ１１の内端部１１ａと防水リブ９の外周面９ａに沿い、これにより、防水カバー７をケース４に取り付けた際、防水構造が機能するようになっている。
以下、防水リブ９とケースリブ１１によって画定され、防水性が保たれている領域を防水エリアＳ１と称し、防水リブ９とケースリブ１１の外側の防水性が保たれていない領域を非防水エリアＳ２と呼ぶ。
【００１７】
次に、板状アンテナ８のアンテナ接点部８ｂの構造について説明する。
図２の断面図に示すように、板状アンテナ８のアンテナ接点部８ｂは、防水カバー７の防水リブ９を貫通するように構成されている。即ち、防水リブ９には、アンテナ接点部８ｂが貫通する貫通孔１５が形成されており、アンテナ接点部８ｂは貫通孔１５を貫通して防水リブ９の外側に延出される。即ち、アンテナ接点部８ｂは、防水リブ９の貫通孔１５を介して防水エリアＳ１から非防水エリアＳ２の両エリアに延在している。また、アンテナ接点部８ｂは、防水リブ９の外側において接着テープ１４によって防水カバー７の内面７ａに貼り付けられている。
【００１８】
次に、貫通部１５の防水構造である第一防水構造３１について説明する。
また、貫通孔１５の端部の周囲には凹部１５ａが形成されているとともに、この凹部１５ａにＯリング１６が嵌め込まれている。第一防水構造３１は、このＯリング１６がアンテナ接点部８ｂと凹部１５ａの内面に同時に接触することによって機能する。
【００１９】
次に、アンテナ接点部８ｂと基板１７との接続構造について説明する。
図２に示すように、ケース４のケースリブ１１には、防水リブ９の突出方向に沿う方向に、ネジ孔１８が形成されており、このネジ孔１８にボルト１９が取り付けられている。ボルト１９は、導電性を有する素材によって形成されている。
また、ボルト１９は、裏面２に直交する方向から見て、アンテナ接点部８ｂと重なる位置に配置されている。
【００２０】
また、ボルト１９の頭部１９ａには、弾性及び導電性を有するばね板により形成されている第一接点バネ２０が設けられている。第一接点バネ２０は、長尺状のばね板をＵ字形状に湾曲させた形状を有しており、一端がボルト１９の頭部１９ａに固定されている。また、第一接点バネ２０は、防水カバー７を装置本体３に取り付けた際、第一接点バネ２０の他端がアンテナ接点部８ｂに当接する位置に配置されている。これにより、防水カバー７をケース４に取り付けた際、アンテナ接点部８ｂとボルト１９とが電気的に接続される。
【００２１】
次に、ネジ孔１８の防水構造である第二防水構造３２について説明する。
また、ネジ孔１８のボルト挿入側端部の周囲には凹部１８ａが形成されているとともに、この凹部１８ａにＯリング２１が嵌め込まれている。第二防水構造３２は、このＯリング２１がボルト１９の頭部１９ａ及び凹部１８ａの内面に同時に接触することによって機能する。
【００２２】
基板１７上の板状アンテナ８と電気的に接続される必要のある所定の回路は、裏面２に直交する方向から見て、ボルト１９と重なる位置に配置されている。この所定の回路には、弾性及び導電性を有するばね板により形成されている第二接点バネ２２が設けられている。第二接点バネ２２は、第一接点バネ２０と同様の形状を有しており、一端が所定の回路に固定されている。また、第二接点バネ２２は、ボルト１９をネジ孔１８に取り付けた際、第二接点バネ２２の他端がボルト１９の軸部１９ｂに当接する位置に配置されている。
【００２３】
次に、以上の構成による作用を説明する。防水カバー７を装置本体３を構成するケース４の開口部６に取り付けることにより、防水カバー７の内面７ａに設けられた板状アンテナ８が第一接点バネ２０に当接する。第一接点バネ２０、ボルト１９、及び第二接点バネ２２は、導電性を有する材料により形成されているため、第一接点バネ２０、ボルト１９、及び第二接点バネ２２を介して、板状アンテナ８と基板１７の所定の回路とが電気的に接続される。
【００２４】
上記実施形態によれば、板状アンテナ８の一部であるアンテナ接点部８ｂが、貫通孔１５を貫通して防水リブ９の外部に延出しているが、Ｏリング１６などから構成される第一防水構造３１により防水リブ９より内側の防水性は保たれている。即ち、アンテナ接点部８ｂは、防水エリアＳ１から非防水エリアＳ２に延在しているが、第一防水構造３１により、防水エリアＳ１の防水性は確保されている。
【００２５】
また、アンテナ接点部８ｂと基板１７とを電気的に接続するボルト１９は、Ｏリング１３により防水性が保たれた防水エリアＳ１と、Ｏリング１３より外側の非防水エリアＳ２とに亘って延在しているが、Ｏリング２１などから構成される第二防水構造３２により防水エリアＳ１の防水性は保たれている。
【００２６】
上記実施形態によれば、板状アンテナ８の一部であるアンテナ接点部８ｂが防水性を保ちながら防水リブ９を貫通して外部に延出するとともに、アンテナ接点部８ｂが、防水性を保ちながらケース４を貫通するボルト１９及び接点バネ２０，２２によって、基板１７と接続される。即ち、アンテナ接点部８ｂがＯリング１３の軌道Ｃ１の外側まで延在する。これにより、Ｏリング１３の軌道Ｃ１、つまり防水リブ９の軌道がアンテナ接点部８ｂを内包する必要がなくなるため、アンテナ実装構造の実装効率が上がり防水型通信機器１の小型化が可能になる。
【００２７】
（第二の実施形態）
以下、本発明に係る防水型通信機器のアンテナ実装構造の第二の実施形態を図面に基づいて説明する。
図３は、本実施形態に係る防水型通信機器のアンテナ実装構造を示す段面図である。なお、本実施形態では、上述した第一の実施形態との相違点を中心に述べ、同様の部分についてはその説明を省略する。
【００２８】
図３に示すように、第二の実施形態に係る防水型通信機器１Ｂのアンテナ実装構造は、第一の実施形態と比較して、第一防水構造３１の構造が異なる。具体的には、第二の実施形態の第一防水構造３１Ｂは、防水リブ９に形成された貫通孔２５と、貫通孔２５と貫通孔２５を貫通するアンテナ接点部８ｂとを接着するとともに、防水機能を発揮する接着剤２６によって構成される。防水接着剤２６を導入しやすくするため、貫通孔２５は第一の実施形態の貫通孔１５よりもやや大きめに形成されることが好ましい。
【００２９】
上記実施形態によれば、防水機能を発揮するためにＯリングなどの環型の密封部材及びこの密封部材を収容する溝を形成する必要がないため、防水カバーの製造工程を簡略化することができる。
【００３０】
（第三の実施形態）
以下、本発明に係る防水型通信機器のアンテナ実装構造の第三の実施形態を図面に基づいて説明する。
図４は、本実施形態に係る防水型通信機器のアンテナ実装構造を示す段面図である。図４に示すように、第三の実施形態に係る防水型通信機器１Ｃのアンテナ実装構造は、第一の実施形態と比較して、第一防水構造３１の構造が異なる。具体的には、第三の実施形態の第一防水構造３１Ｃは、防水リブ９に形成された貫通孔２７と、貫通孔２７と貫通孔２７を貫通するアンテナ接点部８ｂとの間に介在するシリコーン部材２８とから構成される。シリコーン部材２８は、シリコーンゴムによって形成された帯状のリングであり、貫通孔２７と、アンテナ接点部８ｂとの隙間に嵌め込むことが可能な形状に形成されている。
【００３１】
上記実施形態によれば、シリコーン部材２８がアンテナ接点部８ｂの長手方向に亘って貫通孔２７をシールするため、Ｏリングと比較してより防水効果を高めることができる。
【００３２】
以上、本発明の実施形態に係る防水型通信機器のアンテナ実装構造について説明したが、本発明は上述した各実施形態に限定されるものではなく、本発明の趣旨を逸脱しない範囲において種々の変更を加えることが可能である。
例えば、第二防水構造３２に用いられる導電体はボルト１９に限ることはなく、導電性を有するものであれば、他の形状の部材を用いることも可能である。例えば、嵌め合い（締まり嵌め）によって固定されるピンを用いることもできる。または、ケース４に直接導電体を埋め込む形態としてもよい。
【００３３】
また、接点バネ２０，２２は、板バネに限らず様々な弾性を有する導電体（例えばコイルばね）を採用することができる。また第二接点バネ２２については、ボルト１９と基板とを導電ワイヤなどにより電気的に接続する方法を採用することも可能である。
また、ケース４は箱形状である場合について説明を行なったが、これに限定されることはなく、スライド構造や折畳み機構等を有する防水型通信機器のケースにも本発明のアンテナ実装構造を適用できる。
【符号の説明】
【００３４】
１…防水型通信機器、４…ケース（筐体）、６…開口部、７…防水カバー（外蓋）、７ａ…内面、８…板状アンテナ、８ｂ…アンテナ接点部、９…防水リブ、１３…Ｏリング（密封部材）、１６…Ｏリング（密封部材）、１７…基板、１９…ボルト（導電体）、２０…第一接点バネ（接点）、２１…Ｏリング（密封部材）、２６…接着剤（防水型接着剤）、３１…第一防水構造、３２…第二防水構造。
【図１】
2013021625.tif 000003
【図２】
2013021625.tif 000004
【図３】
2013021625.tif 000005
【図４】
2013021625.tif 000006
【図５】
2013021625.tif 000007
【図６】
2013021625.tif 000008